(57)【要約】【課題】  棟瓦を棟上に強固に固定することができる棟構造を提供する。【解決手段】  大棟１１は建築物の瓦屋根の頂部をなし、平板状をなす野地１４を備えている。野地１４上において最上部に位置する平瓦２１間には、芯材３１が大棟１１の長手方向に延びるように立設されている。芯材３１は、縦枠材３２及び横枠材３３により格子状に形成されている。芯材３１は、野地１４上に取付けられた対向する複数対の固定部材４１の芯材挟持部４３によって挟持されることにより、野地１４上に固定されている。棟瓦６１は、大棟１１上に積み重ねられた対向する複数対の熨斗瓦６２と、熨斗瓦６２上に載架された冠瓦６６とから構成されている。対向する複数対の熨斗瓦６２及び冠瓦６６によって取り囲まれた空間６７内には、接着剤６８が充填されている。芯材３１の中間部及び上端部は空間６７内に位置し、接着剤６８中に埋設されている。【選択図】      図１
2005188061.tif 000002
【特許請求の範囲】
【請求項１】
瓦屋根の棟上に設けられた対向する少なくとも１対の熨斗瓦と、該熨斗瓦上に設けられた冠瓦とからなる棟瓦を備え、
前記熨斗瓦及び冠瓦によって取り囲まれた空間内には、芯材が設けられるとともに接着剤が充填され、
前記芯材は、棟の長手方向に延びるように棟上に立設されるとともに少なくとも一部が接着剤中に埋設され、さらに同芯材の下端部は棟に設けられた固定部材により棟上に固定されていることを特徴とする棟構造。
【請求項２】
前記固定部材は、固定部と該固定部上に立設され対向する１対の芯材挟持部とを備え、固定部は棟上に固定され、前記芯材の下端部は対向する１対の芯材挟持部に挟持されている請求項１に記載の棟構造。
【請求項３】
前記芯材の上端部が最上部に位置する熨斗瓦間に配置されている請求項１又は請求項２に記載の棟構造。
【発明の詳細な説明】
【技術分野】
【０００１】
本発明は、建築物の瓦屋根の棟構造に関するものである。
【背景技術】
【０００２】
従来、この種の棟構造は、瓦屋根の棟上に積み重ねられた複数対の熨斗瓦と、該熨斗瓦上に設けられた冠瓦とからなる棟瓦を備えている。対向する複数対の熨斗瓦及び冠瓦によって取り囲まれた空間内には、熨斗瓦及び冠瓦を接合するとともに棟瓦を棟上に固定するための接着剤が充填されている（例えば、特許文献１参照。）。
【特許文献１】特開２００３−１４７９１４号公報
【発明の開示】
【発明が解決しようとする課題】
【０００３】
ところが、この従来の棟構造は、棟瓦が接着剤によって棟上に固定されているのみであるために、棟瓦の棟への固定が不十分であるという問題があった。
本発明は、このような従来技術に存在する問題点に着目してなされたものである。その目的とするところは、棟瓦を棟上に強固に固定することができる棟構造を提供することにある。
【課題を解決するための手段】
【０００４】
上記の目的を達成するために、請求項１に記載の発明の棟構造は、瓦屋根の棟上に設けられた対向する少なくとも１対の熨斗瓦と、該熨斗瓦上に設けられた冠瓦とからなる棟瓦を備え、前記熨斗瓦及び冠瓦によって取り囲まれた空間内には、芯材が設けられるとともに接着剤が充填され、前記芯材は、棟の長手方向に延びるように棟上に立設されるとともに少なくとも一部が接着剤中に埋設され、さらに同芯材の下端部は棟に設けられた固定部材により棟上に固定されているものである。
【０００５】
請求項２に記載の発明の棟構造は、請求項１に記載の発明において、前記固定部材は、固定部と該固定部上に立設され対向する１対の芯材挟持部とを備え、固定部は棟上に固定され、前記芯材の下端部は対向する１対の芯材挟持部に挟持されているものである。
【０００６】
請求項３に記載の発明の棟構造は、請求項１又は請求項２に記載の発明において、前記芯材の上端部が最上部に位置する熨斗瓦間に配置されているものである。
【発明の効果】
【０００７】
本発明の棟構造によれば、棟瓦を棟上に強固に固定することができる。
【発明を実施するための最良の形態】
【０００８】
以下、本発明を建築物の大棟の棟構造に具体化した一実施形態について説明する。
図１及び図２に示すように、棟としての大棟１１は建築物の瓦屋根の頂部をなし、水平方向に延びるように形成されている。大棟１１は、その長手方向に延びるように設けられた四角柱状の棟木１２を備えている。ここで、大棟１１の長手方向とは、図１に対する直交方向を示す。棟木１２の上端には、四角柱状をなす複数の垂木１３が、棟木１２に対して直交方向に延びるように設けられている。各垂木１３は、一端部が棟木１２によって支持されるとともに他端部に向かうに従い下方へ傾斜する傾斜状に設けられている。さらに、各垂木１３は、棟木１２を挟んで対をなすとともに、大棟１１の長手方向において隣り合う垂木１３が離間するように設けられている。
【０００９】
各垂木１３の上面には、平板状をなす野地１４が敷設されている。図２に示すように、野地１４は複数の野地板１４ａから構成され、隣り合う垂木１３間を塞ぐとともに棟木１２及び垂木１３を挟んで対をなすようにそれぞれ敷設されている。さらに、各野地１４は、垂木１３の上面に沿って傾斜する傾斜状に敷設されている。このため、大棟１１は、棟木１２、各垂木１３の一端部及び各野地１４の上端部から構成されている。各野地１４の上面には、角材からなる引掛桟１５が、大棟１１の長手方向に延びるとともに所定間隔をおいて複数延設されている。各引掛桟１５は、図示しないねじ釘により野地１４上に固定されている。
【００１０】
各野地１４上には、それらの全体にわたって四角板状をなす複数の平瓦２１がそれぞれ葺設されている。各平瓦２１は、一側部が上方へ僅かに膨出するとともに他側部が下方へ僅かに凹む波板状にそれぞれ湾曲形成されている。図１に示すように、各平瓦２１は、それらの底面の上端部に係止爪２２が垂下され、係止爪２２が引掛桟１５に係止されることにより野地１４上に葺設されている。各野地１４の上端部上面は、平瓦２１が葺設されることなく露出している。
【００１１】
図１及び図２に示すように、野地１４上において最上部（棟部）に位置する平瓦２１間には、金属材料製の長四角板状をなす芯材３１が、大棟１１の長手方向に延びるように立設されている。芯材３１は、大棟１１全体にわたって立設され、帯状をなす複数本の縦枠材３２及び横枠材３３から格子状に形成されている。各縦枠材３２は、垂直方向に延びるとともに隣り合う縦枠材３２が離間するようにそれぞれ立設されている。一方、各横枠材３３は、各縦枠材３２と直交して水平方向に延びるとともに隣り合う横枠材３３が離間するように配設されている。さらに、芯材３１の周縁は、上下一対の縦枠材３２及び左右１対の横枠材３３により四角環状に形成されている。各縦枠材３２及び各横枠材３３は、それらの交点で溶接接合されている。
【００１２】
露出している野地１４の上端部上面には、正断面Ｌ字状をなす対向する複数対の固定部材４１が取付けられている。これら固定部材４１は、対向する各１対の固定部材４１が大棟１１の長手方向において１ｍ等の間隔を空けて取付けられている。各固定部材４１は、野地１４の上面に沿って延びる平板状をなす固定部４２と、固定部４２の一側縁から垂直方向に延びる平板状をなす芯材挟持部４３とから構成されている。
【００１３】
対向する各１対の固定部材４１は、それらの芯材挟持部４３が芯材３１の厚みに相当する距離だけ離間して対向するように取付けられている。さらに、各固定部材４１は、それらの固定部４２の中央部に円孔状をなす１対の第１挿通孔４４が開口形成され、各第１挿通孔４４を介してねじ釘４５が野地１４及び垂木１３に打付けられることにより野地１４上に固定されている。芯材３１は、その下端部が対向する複数対の固定部材４１の各芯材挟持部４３によって挟持されることにより、野地１４上に固定されている。
【００１４】
図１に示すように、大棟１１上、即ち各野地１４上の上端部には、漆喰により正断面四角形状に形成された第１土台５１が、大棟１１の長手方向に延びるように形成されている。第１土台５１は、露出している野地１４の上端部上面と、棟部に位置する各平瓦２１の上面とを覆うように形成されている。このため、芯材３１の下端部及び対向する複数対の固定部材４１は、第１土台５１中にそれぞれ埋設されている。漆喰の具体例としては、南蛮漆喰、モルタル漆喰等が挙げられる。これらの中でも、耐候性に優れているとともに圧縮強度等の強度が高いために、モルタル漆喰が好ましい。モルタル漆喰とは、例えば炭酸カルシウム、砂等の骨材、麻づた等の繊維、水及び硬化遅延剤等を含有するモルタル材料が養生硬化したものである。
【００１５】
図１及び図２に示すように、第１土台５１上には、正断面逆Ｕ字状の棟瓦６１が、大棟１１の長手方向に延びるように葺設されている。棟瓦６１は、芯材３１，第１土台５１及び棟部に位置する各平瓦２１の上面を覆うように葺設されている。棟瓦６１は、平板状をなす対向する複数対の熨斗瓦６２を備えている。対向する複数対の熨斗瓦６２は、芯材３１を挟む対向位置に積み重ねられている。熨斗瓦６２は一般に３〜７対積み重ねられ、本実施形態においては７対積み重ねられている。対向する各１対の熨斗瓦６２は、大棟１１の長手方向において隣り合う熨斗瓦６２が隣接するようにそれぞれ葺設されている。
【００１６】
下方から２対目までの各熨斗瓦６２は、中央部が上方へ僅かに膨出する正断面円弧状にそれぞれ形成されている。さらに、下方から２対目までの各熨斗瓦６２は、棟瓦６１の意匠性を高めるために他の熨斗瓦６２に比べて大きく形成されている。下方から３対目以上の各熨斗瓦６２は、相対向する一側部が他側部に比べて上方へ僅かに膨出する正断面円弧状にそれぞれ形成されている。最下部の各熨斗瓦６２は、それらの中央部に円孔状の第２挿通孔６３がそれぞれ開口形成されている。最下部の各熨斗瓦６２は第１土台５１上に載置され、第２挿通孔６３を介してねじ釘４５が第１土台５１に打付けられることにより、第１土台５１上にそれぞれ固定されている。
【００１７】
最下部の熨斗瓦６２上の中央部には、前記漆喰により正断面長方形状に形成された第２土台６４が、大棟１１の長手方向に延びるように形成されている。下方から２対目の各熨斗瓦６２は、第２土台６４上にそれぞれ載置されている。下方から２対目以上の対向する１対の熨斗瓦６２において積み重ねられた各熨斗瓦６２間には、防腐処理が施された角材からなる台座６５が、大棟１１の長手方向に延びるようにそれぞれ挟入されている。さらに芯材３１の上端部は、最上部に位置する１対の熨斗瓦６２間に配置されている。
【００１８】
最上部に位置する１対の熨斗瓦６２上には、平板状の冠瓦６６が載架されている。冠瓦６６は、中央部が上方へ僅かに膨出する正断面円弧状に形成されている。さらに、冠瓦６６の一端部は、上方へ僅かに膨出形成されている。冠瓦６６は、大棟１１の長手方向において隣り合う冠瓦６６が隣接するように載架されている。さらに、隣り合う冠瓦６６は、一方の冠瓦６６の一端部に他方の冠瓦６６の他端部が係入されている。最上部に位置する１対の各熨斗瓦６２と冠瓦６６との間には、前記台座６５が大棟１１の長手方向に延びるように挟入されている。
【００１９】
各土台５１，６４、各熨斗瓦６２、各台座６５及び冠瓦６６により取り囲まれた空間６７内には、熨斗瓦６２及び冠瓦６６を互いに接合する接着剤６８が充填されている。このため、野地１４上に立設された芯材３１の中間部及び上端部は、空間６７内に位置し接着剤６８中に埋設されている。接着剤６８は瓦の接合に用いられるものであれば特に限定されないが、発泡体を形成することにより体積が増加して空間６７内全体に容易に充填されるために、ポリウレタン発泡体接着剤等の発泡体接着剤が好ましい。ポリウレタン発泡体接着剤は、発泡体形成が容易なために気泡発泡体接着剤が好ましい。さらに、ポリウレタン発泡体接着剤は単一成分のポリウレタン発泡体でもよいし、複数成分のポリウレタン発泡体でもよい。
【００２０】
さて、大棟１１上に棟瓦６１を葺設するときには、平瓦２１が葺設された野地１４の上面の露出している上端に各固定部材４１を取付けた後、各第１挿通孔４４を介してねじ釘４５を野地１４及び垂木１３に打付けて各固定部材４１を野地１４上に固定する。続いて、芯材３１の下端部を各固定部材４１の芯材挟持部４３間に嵌挿し、芯材３１を野地１４上に立設させる。このとき、芯材３１は、下端部が各芯材挟持部４３によって挟持されることにより、野地１４上に固定される。さらに、芯材３１は、周縁下端部に位置する横枠材３３が野地１４に当接した状態で野地１４上に固定される。
【００２１】
芯材３１を野地１４上に固定した後、漆喰により第１土台５１を形成するとともに、漆喰が完全に養生硬化する前に最下部の対向する１対の各熨斗瓦６２を第１土台５１上に載置する。そして、各第２挿通孔６３を介してねじ釘４５を第１土台５１に打付ける。このとき、最下部の対向する１対の各熨斗瓦６２は、ねじ釘４５の打付け及び漆喰の接着力により第１土台５１上にそれぞれ固定される。
【００２２】
最下部の各熨斗瓦６２を第１土台５１上にそれぞれ固定した後、漆喰により第２土台６４を形成する。そして、漆喰が完全に養生硬化する前に下方から２対目の各熨斗瓦６２を第２土台６４上に載置する。このとき、下方から２対目の各熨斗瓦６２は、漆喰の接着力により第２土台６４上にそれぞれ固定される。下方から２対目の各熨斗瓦６２を第２土台６４上に固定した後、各台座６５及び対向する各１対の熨斗瓦６２を交互に積み重ねる。そして、複数対の熨斗瓦６２間に接着剤６８を充填し、最上部に位置する１対の熨斗瓦６２上に冠瓦６６を載架する。このとき、各熨斗瓦６２及び冠瓦６６は接着剤６８により接合される。さらに、芯材３１の中間部及び上端部は接着剤６８中に埋設される。
【００２３】
前記の実施形態によって発揮される効果について、以下に記載する。
・  本実施形態の棟構造を有する大棟１１は、野地１４上に芯材３１が立設されている。芯材３１は、その下端部が対向する複数対の固定部材４１の各芯材挟持部４３によって挟持されることにより、野地１４上に固定されている。さらに、芯材３１の中間部及び上端部は空間６７内に位置し、空間６７内に充填された接着剤６８中に埋設されている。このため、棟瓦６１は、空間６７内に充填された接着剤６８により芯材３１と一体化し、芯材３１に支持された状態で大棟１１上に固定されている。よって、本実施形態の棟構造は、従来の棟構造に比べて棟瓦６１を大棟１１上に強固に固定することができ、地震や強風に対しても強い。
【００２４】
・  芯材３１は、複数本の縦枠材３２及び横枠材３３から格子状に形成されている。このため、本実施形態の芯材３１は、例えば横枠材３３が１本のみのときに比べて接着剤６８の接着面積（接触面積）を増加させ、棟瓦６１と強固に一体化することができる。さらに、芯材３１は、棟瓦６１に加わった外力を複数本の縦枠材３２及び横枠材３３によって受け止めることができる。よって、芯材３１は、棟瓦６１に加わった外力に抗して棟瓦６１をより確実に支持することができる。さらに、芯材３１は、横枠材３３が１枚の平板のときに比べて軽量化することができる。
【００２５】
・  芯材３１は、周縁下端部に位置する横枠材３３が野地１４に当接するとともに第１土台５１中に埋設された状態で野地１４上に固定されている。このため、芯材３１は、野地１４に当接するとともに第１土台５１中に埋設された横枠材３３が集中する外力を受け止めることにより、第１土台５１に亀裂が発生するのを抑制することができる。
【００２６】
・  芯材３１は、その下端部が対向する複数対の固定部材４１の芯材挟持部４３間に嵌挿されることにより挟持されている。このため、本実施形態の棟構造は、芯材３１を野地１４上に容易に固定することができる。
【００２７】
・  芯材３１の上端部は、最上部に位置する１対の熨斗瓦６２間に配置されている。このため、芯材３１は、その上端部が例えば棟瓦６１の中央高さ以下に位置しているときに比べて、外力による棟瓦６１の揺れを小さくして棟瓦６１をより確実に支持することができる。
【００２８】
・  野地１４上には、対向する複数対の固定部材４１が大棟１１の長手方向において１ｍ等の間隔を空けて取付けられている。このため、対向する複数対の固定部材４１は、芯材３１の下端部を一定の間隔で挟持することにより、芯材３１をその全体にわたって野地１４上に固定することができる。
【００２９】
・  各土台５１，６４は漆喰により形成されている。ここで、漆喰は接着剤６８に比べて固く強度が高い。このため、本実施形態の棟構造は、棟瓦６１が接着剤６８により大棟１１上に取付けられているときに比べて、棟瓦６１をより強固に固定することができる。
【００３０】
・  棟瓦６１は、漆喰により形成されている第１土台５１により大棟１１上に取付けられるとともに、各熨斗瓦６２及び冠瓦６６は接着剤６８により接合されている。ここで、接着剤６８として発泡体接着剤が用いられたときには、空間６７内に充填されている接着剤６８の比重は漆喰に比べて軽い。このため、本実施形態の棟構造は、空間６７内に漆喰が充填されているときに比べて棟瓦６１の重心を下げることができる。ここで、棟瓦６１は、その重心が高くなるに伴い外力による揺れが大きくなる。よって、本実施形態の棟構造は、空間６７内に漆喰が充填されているときに比べて外力による揺れを小さくし、棟瓦６１を大棟１１上により強固に固定することができる。
【００３１】
なお、本実施形態は、次のように変更して具体化することも可能である。
・  前記大棟１１を、長手方向の中央部が下方へ僅かに凹む側面円弧状に形成してもよい。このとき、芯材３１は、長手方向の中央部が下方へ僅かに凹む側面円弧状に形成される。また、大棟１１を降棟や隅棟に変更してもよい。即ち、本実施形態の棟構造を大棟以外の棟に用いてもよい。
【００３２】
・  前記芯材３１の縦枠材３２又は横枠材３３の形状を丸棒等に変更してもよい。また、縦枠材３２又は横枠材３３を木材や合成樹脂材料により形成してもよい。
・  前記芯材３１を、例えば直径１ｍｍの線材を編み上げることにより形成された金網により構成してもよい。この金網の周縁部には、四角環状をなす枠材が溶接等により取付けられている。そして、金網は、枠材の下端部が対向する固定部材４１の各芯材挟持部４３によって挟持されることにより、野地１４上に固定されている。
【００３３】
・  前記対向する１対の固定部材４１を一体化させてもよい。即ち、前記各固定部４２を一体化させてもよい。
・  前記第１土台５１を省略してもよい。このとき、最下部の対向する１対の熨斗瓦６２は、接着剤６８により大棟１１上に葺設される。また、第２土台６４を省略してもよい。このとき、最下部の対向する１対の熨斗瓦６２と下方から２対目の対向する熨斗瓦６２との間に台座６５を挟入させるのが好ましい。
【００３４】
・  前記棟瓦６１を、大棟１１上に葺設された対向する１対の熨斗瓦６２と、熨斗瓦６２上に載架された冠瓦６６とから構成してもよい。
さらに、前記実施形態より把握できる技術的思想について以下に記載する。
【００３５】
（１）前記棟と棟瓦との間には漆喰が設けられ、芯材は、その下端部が漆喰中に埋設されるとともに中間部及び上端部が接着剤中に埋設されている請求項１から請求項３のいずれか一項に記載の棟構造。この構成によれば、棟瓦を棟上により強固に固定することができる。
【００３６】
（２）前記接着剤は漆喰よりも比重の軽い発泡体接着剤である前記（１）に記載の棟構造。この構成によれば、棟瓦を棟上にさらに強固に固定することができる。
【図面の簡単な説明】
【００３７】
【図１】本実施形態の棟瓦を示す断面図。
【図２】棟瓦を示す要部破断斜視図。
【符号の説明】
【００３８】
１１…棟としての大棟、３１…芯材、４１…固定部材、４２…固定部、４３…芯材挟持部、６１…棟瓦、６２…熨斗瓦、６６…冠瓦、６７…空間、６８…接着剤。
【図１】
2005188061.tif 000003
【図２】
2005188061.tif 000004